(57)【要約】      （修正有）【課題】スプールの撚り線機への搬送作業性を向上することができるスプール搬送具を提供する。【解決手段】スプール１０を搬送するために用いられるスプール搬送具である。両端に環状部１Ａを有する帯状部材１と、帯状部材１に対し移動可能に取り付けられた係止部材本体２と、帯状部材１の一端の環状部１Ａを係止可能であって、係止部材本体２から突出して設けられた係止部３とを備え、帯状部材１によりスプール１０を保持する。【選択図】図１
2011178554.tif 000002
【特許請求の範囲】
【請求項１】
スプールを搬送するために用いられるスプール搬送具において、
両端に環状部を有する帯状部材と、該帯状部材に対し移動可能に取り付けられた係止部材本体と、該帯状部材の一端の環状部を係止可能であって、該係止部材本体から突出して設けられた係止部とを備え、前記帯状部材により前記スプールを保持することを特徴とするスプール搬送具。
【請求項２】
前記係止部材本体が、前記スプールのフランジ部と当接する当接部を有する請求項１記載のスプール搬送具。
【請求項３】
前記係止部材本体が、前記係止部の突出端部と係合するストッパーを備える請求項１または２記載のスプール搬送具。
【発明の詳細な説明】
【技術分野】
【０００１】
本発明は、スプール搬送具（以下、単に「搬送具」とも称する）に関し、詳しくは、スチールワイヤが巻回されたスプールを保持して搬送するために用いられるスプール搬送具に関する。
【背景技術】
【０００２】
一般に、タイヤ等の補強部材としてのスチールコードは、目的の線径まで伸線されたスチールワイヤを、撚り線機において所望の撚り構造に撚り合わせることにより製造される。この際、伸線されたスチールワイヤは、スプールに巻回された状態で撚り線機に仕掛けられ、撚り線に供される。しかし、スチールワイヤが巻回されたスプールは高重量であるため、人手による搬送作業は、困難であることに加え、労働安全上好ましくない。そのため従来、スプールの撚り線機への搬送は、ベルトスリングを用いてチェーンブロックで吊り上げることにより行われていた。
【０００３】
円環状部材の搬送具に係る技術としては、例えば、特許文献１に、ベルトスリングを使用して被吊上物をチョーク吊りする際に使用するスリング用フックであって、略コ字形のフック本体とその開放端の脚部間に開閉自在に差渡されスリングの一端吊り手部を係合するフックピンとを備え、フックピンを閉姿勢で本体に係止する抜け止め手段を設けたものが開示されている。また、特許文献２には、本体のガイド溝の一端側に垂設した固定挟持プレートと、ガイド溝に嵌装してスライドされ他端側から垂下して固定挟持プレートに対し進退する移動挟持プレートと、本体上に突設したガイド部材にガイドされて上下動する吊り枠と、本体の他端部に枢着し吊り枠と移動挟持プレートの間に連設して吊り枠の上下動で移動挟持プレートを進退する連動機構と、移動挟持プレートのスライド部と本体の間に配設しプレート開に保持するロック機構を具備するボビン等の吊り具が開示されている。
【０００４】
さらに、特許文献３には、下方に開放するコの字形、或いは、ハの字形のメインフレームの両方の下端部に夫々揺動可能に設けたグリップアームと、メインフレーム上端部にグリップアームの夫々と動力伝達手段により連結された一対のスイングアームと、一対のスイングアームの各他端部を揺動可能に連結した昇降フックとを設け、昇降フックのメインフレームに対する昇降運動により動力伝達手段を介してグリップアームの揺動運動を達成させるように構成し、揺動する一対のグリップアームにより被搬送物を吊り上げる吊り具が開示されている。
【先行技術文献】
【特許文献】
【０００５】
【特許文献１】実用新案第３００８１０２号公報（実用新案登録請求の範囲等）
【特許文献２】特開平７‐３２４２９０号公報（特許請求の範囲等）
【特許文献３】特開２００５‐１１９７６７号公報（特許請求の範囲等）
【発明の概要】
【発明が解決しようとする課題】
【０００６】
しかしながら、スプールを、従来のベルトスリングを用いてチョーク吊りして撚り線機に搬送する場合には、ベルトをその都度チェーンブロックのフックから外さなければならず、作業性が悪いという問題があった。また、特許文献１〜３に挙げられているような技術もあるが、スプールをアームやプレート等の金具で挟み込むような装置では狭い撚り機の中に入れることができず、いずれにしても、スプールを撚り線機内に搬送する用途に用いるには十分なものではなかった。
【０００７】
そこで本発明の目的は、上記問題を解消して、スプールの撚り線機への搬送作業性を向上することができるスプール搬送具を提供することにある。
【課題を解決するための手段】
【０００８】
本発明者は鋭意検討した結果、両端を環状に形成した帯状部材に対し、その一端を係止できる部材を取り付けることで、スプールを保持することが可能であって、かつ、スプールの脱着が容易であるスプール搬送具が得られることを見出して、本発明を完成するに至った。
【０００９】
すなわち、本発明は、スプールを搬送するために用いられるスプール搬送具において、
両端に環状部を有する帯状部材と、該帯状部材に対し移動可能に取り付けられた係止部材本体と、該帯状部材の一端の環状部を係止可能であって、該係止部材本体から突出して設けられた係止部とを備え、前記帯状部材により前記スプールを保持することを特徴とするものである。
【００１０】
本発明においては、前記係止部材本体が、前記スプールのフランジ部と当接する当接部を有することが好ましい。また、前記係止部材本体が、前記係止部の突出端部と係合するストッパーを備えることも好ましい。
【発明の効果】
【００１１】
本発明によれば、スプール搬送の際における、従来のチェーンブロックのフックへの付け替え作業を要しなくなるので、スプールの撚り線機への搬送作業性を、従来と比較して大幅に向上することが可能である。
【図面の簡単な説明】
【００１２】
【図１】本発明のスプール搬送具の一例を示す（ａ）概略側面図および（ｂ）正面図である。
【図２】本発明のスプール搬送具の他の例を示す（ａ）概略側面図および（ｂ）正面図である。
【図３】本発明のスプール搬送具におけるストッパーを示す説明図である。
【図４】図２に示すスプール搬送具の、帯状部材を除く部分を拡大して示す斜視図である。
【発明を実施するための形態】
【００１３】
以下、本発明の実施の形態について、図面を参照しつつ詳細に説明する。
図１に、本発明のスプール搬送具の一例の（ａ）概略側面図および（ｂ）正面図を示す。図示するように、本発明のスプール搬送具は、両端に環状部１Ａ，１Ｂを有する帯状部材１と、帯状部材１に対し移動可能に取り付けられた係止部材本体２と、帯状部材１の一端の環状部１Ａを係止可能であって、係止部材本体２から突出して設けられた係止部３とを備えており、帯状部材１によりスプール１０を保持して搬送するものである。
【００１４】
本発明のスプール搬送具によれば、タイヤの補強材等に用いられるスチールワイヤを巻回したスプールを安全に、かつ効率よく搬送することが可能である。また、本発明の搬送具は、帯状部材１の端部の環状部１Ａを係止部３に引っ掛けて係止することにより、帯状部材１自体でスプール１０を保持するものであるので、スプール１０の着脱が容易である。さらに、搬送具自体が簡易な構造でコンパクトな形状を有するので、スプール１０を保持して撚り線機内に搬送することが容易であり、このため搬送作業性を向上することができるものである。
【００１５】
本発明の搬送具を構成する帯状部材１は、両端が環状となっているものであればよく、これにより、一方の環状部１Ａ側でスプールの保持を行い、もう一方の環状部１Ｂ側をチェーンブロックのフック（図示せず）に引っ掛けることで、スプールの搬送を行うことができる。帯状部材１は、取り扱い性およびスプール１０に巻かれたスチールワイヤの傷つきを防止する観点から、柔軟性を有する材質からなることが好適であり、例えば、ナイロン等の樹脂材料からなるものを用いることができる。帯状部材１の厚み、幅および長さについては、スプールの寸法や作業性の観点から適宜決定することができ、特に制限されるものではないが、高重量のスプールを安定的に保持して搬送する観点から、好適には、厚み８〜１２ｍｍ、幅１００〜１５０ｍｍのものを用いる。
【００１６】
係止部材本体２は、帯状部材１の端部の環状部１Ａを係止する係止部３を有し、帯状部材１に対し移動可能に取り付けられているものであればよく、その具体的な形状や構造、材質等については、特に制限されるものではない。好適には、強度等の観点から、鉄やステンレス等の金属材料からなるものとする。本発明の搬送具においては、係止部材本体２がスプール１０に巻かれたスチールワイヤと接触することがないので、係止部材本体２が金属材料からなるものであっても、スチールワイヤの傷つきの問題を生ずることがない。係止部材本体２は、図示するように、係止部３にて帯状部材１の環状部１Ａを係止した状態で、スプール１０を固定してその移動を規制する機能も有する。また、図中の（ｂ）に示すように、係止部本体２には、取っ手４を設けることが好ましく、これにより、作業者が搬送具を容易に搬送できるものとなる。
【００１７】
係止部３は、係止部材本体２から突出して設けられ、一端が係止部材本体２に固定されるとともに他端が開放された状態を呈するものであって、帯状部材１の端部の環状部１Ａを引っ掛けて係止することができるものであればよい。スプール１０は高重量であるため、環状部１Ａを係止部３に引っ掛けて係止するのみでも帯状部材１が外れるおそれは低いが、好ましくは、係止部材本体２に、この係止部３の突出端部と係合するストッパーを設けることで、係止部３に引っ掛けて係止させた帯状部材１の外れをより確実に防止することができる。図３（ａ）に、図１（ａ）中の矢印方向から見た係止部材本体２の上面図を、同図（ｂ）に、ストッパーの取り付け側から見た係止部材本体２の側面図を、それぞれ示す。図示するように、ストッパー５は、例えば、係止部材本体２に対し、取付部６を支点として回転可能に取り付けることができ、この場合、係止部３に対する帯状部材１の着脱を妨げることがない。
【００１８】
図２に、本発明のスプール搬送具の他の例の（ａ）概略側面図および（ｂ）正面図を示す。図示するスプール搬送具は、両端に環状部１１Ａ，１１Ｂを有する帯状部材１１と、帯状部材１１に対し移動可能に取り付けられた係止部材本体１２と、帯状部材１１の一端の環状部１１Ａを係止可能であって、係止部材本体１２から突出して設けられた係止部１３とを備え、帯状部材１１によりスプール１０を保持して搬送する点は、図１に示すスプール搬送具と同様である。図示するスプール搬送具は、係止部材本体１２に、スプール１０のフランジ部１０ａと当接する当接部１５が設けられている点で、図１に示すスプール搬送具と異なる。図４に、図２に示すスプール搬送具の、帯状部材１１を除く部分を拡大して示す斜視図を示す。なお、図中の符号１４は取っ手を示す。
【００１９】
図２に示す搬送具においては、当接部１５を設けたことで、帯状部材１１と係止部材本体１２とにより、上下からスプール１０を固定することができる。そのため、スプール１０の中心出しをすることができるので、スチールワイヤが巻かれていない空の状態のスプールについても安定して保持、搬送することができるとともに、図示するように、帯状部材１１が比較的細いものであっても、安定してスプール１０を保持することが可能である。この場合の帯状部材１の幅は、例えば、２５〜５０ｍｍとすることができる。なお、図２に示す搬送具においても、帯状部材、係止部材本体および係止部等については、当接部を設ける以外は図１と同様に適宜構成することができ、特に制限されるものではない。
【符号の説明】
【００２０】
１，１１  帯状部材
１Ａ，１Ｂ，１１Ａ，１１Ｂ  環状部
２，１２  係止部材本体
３，１３  係止部
４，１４  取っ手
５  ストッパー
６  取付部
１０  スプール
１０ａ  フランジ部
１５  当接部
【図１】
2011178554.tif 000003
【図２】
2011178554.tif 000004
【図３】
2011178554.tif 000005
【図４】
2011178554.tif 000006